(57)【要約】【課題】固定具としてのバンドの廃棄の問題及び保管の問題を一挙に解決することができながらも、容器本体に蓋体を確実に固定することができる発泡容器を提供する。【解決手段】発泡樹脂製の容器本体１と蓋体２を備え、容器本体１に装着された蓋体２の離脱を阻止するロック機構Ｒを備え、ロック機構Ｒが、蓋体２及び容器本体１のうちの一方に固定される第１固定部材３と、第１固定部材３に対応して他方に固定される第２固定部材４と、２つの固定部材のうちの一方の固定部材４にヒンジ５を介して揺動自在に連結され、他方の固定部材３側への揺動により固定部材３に備えた被係合部に係合する係合解除自在な係合部を備えた可動部材１０とを備え、第１固定部材３及び第２固定部材４のそれぞれに、容器本体１又は蓋体２に差し込んで第１固定部材３及び第２固定部材４を固定するための脚部７，８を備えた。【選択図】図２
2008247443.tif 000002
【特許請求の範囲】
【請求項１】
発泡樹脂製の容器本体と、前記容器本体に装着自在な発泡樹脂製の蓋体とを備えた発泡容器において、前記容器本体に装着された蓋体の離脱を阻止するロック機構を備え、前記ロック機構が、前記蓋体及び容器本体のうちのいずれか一方に固定される第１固定部材と、前記第１固定部材に対応して前記蓋体及び容器本体のうちの他方に固定される第２固定部材と、前記２つの固定部材のうちの一方の固定部材にヒンジを介して揺動自在に連結され、前記他方の固定部材側への揺動により該固定部材に備えた被係合部に係合する係合解除自在な係合部を備えた可動部材とを備え、前記第１固定部材及び第２固定部材のそれぞれに、前記容器本体又は前記蓋体に差し込んで該第１固定部材及び第２固定部材を固定するための脚部を備えたことを特徴とする発泡容器。
【請求項２】
前記可動部材は、該可動部材の係合部が前記被係合部に係合しているロック状態において前記容器本体と蓋体との嵌合部を跨いで該容器本体の蓋体側端部外面と該蓋体の容器側端部外面とに渡る状態で位置する基部と、前記基部の遊端に該基部に対して発泡容器側へ曲がり前記被係合部に係合する係合部を備えた延出部とを有することを特徴とする請求項１記載の発泡容器。
【請求項３】
前記第１固定部材及び第２固定部材に備えさせた脚部のうちの一方が棒状部材からなり、かつ、他方が該棒状部材の挿入を許容する管部材からなり、前記容器本体と蓋体との嵌合部を挟んで突き合わせた状態で前記棒状部材及び管部材のうちの少なくとも一方が前記第１固定部材又は第２固定部材から突出していることを特徴とする請求項１又は２記載の発泡容器。
【請求項４】
前記蓋体に固定される前記一方の固定部材を入り込ませる凹部を、該蓋体に備え、前記容器本体に固定される前記他方の固定部材を入り込ませる凹部を、該容器本体に備えたことを特徴とする請求項１〜３のいずれかに記載の発泡容器。
【発明の詳細な説明】
【技術分野】
【０００１】
本発明は、発泡容器の容器本体と蓋体とを固定することができる発泡容器に関する。より具体的には、ガラス基板（素板ガラス、液晶表示用ガラス基板、プラズマ表示体用基板、蛍光表示管、サーマルヘッド用ガラス基板、有機ＥＬ基板、カラーフィルター等）、ハイブリッドＩＣ用セラミック基板、ウェハ、薄膜トランジスタ形成済みのガラス基板、液晶セル、回路を組み込んだガラス基板などの各種ガラス基板又はこれらのガラス基板を用いて製造した完成パネルなどのガラス基板等の各種のガラス基板を搬送するためのガラス基板搬送用ボックスに特に適した発泡容器に関する。
【背景技術】
【０００２】
上記発泡容器は、例えば多数枚のガラス基板を収納するための発泡樹脂製の容器本体と、ガラス基板が収納された容器本体に装着自在な発泡樹脂製の蓋体とから構成されている。
そして、前記多数枚のガラス基板が収納された容器を搬送する場合に、振動や衝撃等により蓋体が容器本体から外れないように、容器本体および蓋体の表面に連続する溝部を形成し、その溝部にゴムや樹脂でなるバンドを巻き付けて緊結することにより、容器本体と蓋体を固定している。（特許文献１参照）
【特許文献１】特開平８−３０１３５４号公報（図１、図２参照）
【０００３】
特許文献１の構成では、発泡容器を搬送後において内部に収納しているガラス基板を外部に取り出すために前記バンドをカッター等にて切断し、その切断されたバンドは、廃棄処分しなければならず、発泡容器が増えれば増えるほどバンドの処分に困るものであった。
因みに、前記使い捨てのバンドに代えて、一度使用したバンドを何度も使用することができるバンドとして使用することによって、前記廃棄処分の問題を解消することができるものの、一度使用したバンドを次回の使用時まで容器とは別に保管しておかなければならず、保管の問題が発生し、改善の余地があった。
【発明の開示】
【発明が解決しようとする課題】
【０００４】
本発明は、前記問題に鑑みてなされたもので、固定具としてのバンドの廃棄の問題及び保管の問題を一挙に解決することができながらも、容器本体に蓋体を確実に固定することができる発泡容器を提供することを課題とする。
【課題を解決するための手段】
【０００５】
本発明の発泡容器は、発泡樹脂製の容器本体と、前記容器本体に装着自在な発泡樹脂製の蓋体とを備えた発泡容器において、前記容器本体に装着された蓋体の離脱を阻止するロック機構を備え、前記ロック機構が、前記蓋体及び容器本体のうちのいずれか一方に固定される第１固定部材と、前記第１固定部材に対応して前記蓋体及び容器本体のうちの他方に固定される第２固定部材と、前記２つの固定部材のうちの一方の固定部材にヒンジを介して揺動自在に連結され、前記他方の固定部材側への揺動により該固定部材に備えた被係合部に係合する係合解除自在な係合部を備えた可動部材とを備え、前記第１固定部材及び第２固定部材のそれぞれに、前記容器本体又は前記蓋体に差し込んで該第１固定部材及び第２固定部材を固定するための脚部を備えたことを特徴としている。
ガラス基板等の収納物が収納された容器本体に蓋体を装着してから、一方に固定された固定部材の可動部材を揺動操作することによって、他方に固定された固定部材に備えている被係合部に可動部材の係合部を係合させてロック機構をロック状態にすることで、容器本体から蓋体が離脱する（外れる）ことがないように両者を強固に固定することができる。このように蓋体が容器本体に固定された発泡容器を搬送した後、内部に収納した収納物を取り出す場合には、被係合部に係合している係合部を係合解除することによって、固定が解除され、容器本体に対して蓋体を取り外すことができる。そして、前記ロック機構を構成する第１固定部材の脚部及び第２固定部材の脚部を容器本体及び前記蓋体に差し込むだけで、発泡樹脂内に脚部が食い込んだ状態となり、それらの固定を完了することができる。
【０００６】
前記可動部材は、該可動部材の係合部が前記被係合部に係合しているロック状態において前記容器本体と蓋体との嵌合部を跨いで該容器本体の蓋体側端部外面と該蓋体の容器側端部外面とに渡る状態で位置する基部と、前記基部の遊端に該基部に対して発泡容器側へ曲がり前記被係合部に係合する係合部を備えた延出部とを有する構成であってもよい。
【０００７】
前記第１固定部材及び第２固定部材に備えさせた脚部のうちの一方が棒状部材からなり、かつ、他方が該棒状部材の挿入を許容する管部材からなり、前記容器本体と蓋体との嵌合部を挟んで突き合わせた状態で前記棒状部材及び管部材のうちの少なくとも一方が前記第１固定部材又は第２固定部材から突出していてもよい。
【０００８】
前記蓋体に固定される前記一方の固定部材を入り込ませる凹部を、該蓋体に備え、前記容器本体に固定される前記他方の固定部材を入り込ませる凹部を、該容器本体に備えさせてもよい。
【発明の効果】
【０００９】
容器本体に蓋体を固定するためのロック機構を発泡容器に備えさせるだけで、従来のような使い捨てバンドの廃棄処分の問題及び使い回しのバンドを発泡容器とは別に保管する問題を一挙に解消しながらも、被係合部へ係合部を係合させるだけの簡単な操作で容器本体に蓋体を確実に固定することができる発泡容器を提供することができる。しかも、ロック機構を構成する第１固定部材の脚部及び第２固定部材の脚部を容器本体及び前記蓋体に差し込むだけでそれらの固定を完了することができ、発泡容器へのロック機構の組み付け作業を容易迅速に行うことができる利点がある。
【００１０】
前記可動部材は、該可動部材の係合部が前記被係合部に係合しているロック状態において前記容器本体と蓋体との嵌合部を跨いで該容器本体の蓋体側端部外面と該蓋体の容器側端部外面とに渡る状態で位置する基部と、前記基部の遊端に該基部に対して発泡容器側へ曲がり前記被係合部に係合する係合部を備えた延出部とを有する構成である場合には、ロック状態において可動部材を容器外面にできる限り近づけた状態で配置することができるから、容器からの可動部材の出っ張り量を小さく抑えることができ、例えばロック状態で発泡容器を搬送している間に、可動部材に他物が接当し難くすることができ、それによる可動部材の変形等のトラブル発生を回避し易い利点がある。
【００１１】
前記第１固定部材及び第２固定部材に備えさせた脚部のうちの一方が棒状部材からなり、かつ、他方が該棒状部材の挿入を許容する管部材からなり、前記容器本体と蓋体との嵌合部を挟んで対向位置するように前記棒状部材及び管部材のうちの少なくとも一方が前記第１固定部材又は第２固定部材から突出している場合には、容器本体に蓋体を嵌合させる際に、棒状部材の先端が管部材に入り込むことで、管部材が棒状部材の移動案内部材となることで蓋体を容器本体に容易に嵌合させて装着することができる。しかも、管部材に棒状部材が入り込んでいる状態では、入り込み方向と交差する方向でのロック機構の強度アップを図ることができ、発泡容器の搬送時において他物が接当しても変形等のし難いロック機構とすることができる。
【００１２】
前記蓋体に固定される前記一方の固定部材を入り込ませる凹部を、該蓋体に備え、前記容器本体に固定される前記他方の固定部材を入り込ませる凹部を、該容器本体に備えさせている場合には、第１固定部材及び第２固定部材が容器本体又は蓋体の凹部から容器外へ大きく突出することがないから、発泡容器を搬送している間に、第１固定部材及び第２固定部材に他物が接当し難くなり、それによる固定部材の変形等のトラブル発生を回避し易い利点がある。
【発明を実施するための最良の形態】
【００１３】
以下、本発明に係る実施の形態について図面を参照しながら説明する。図１及び図２に、各種のガラス基板を振動や衝撃から保護しながら搬送することができる発泡容器の一例であるガラス基板搬送用ボックス（以下、単にボックスという）を示している。前記発泡容器は、ガラス基板以外のもの、例えば魚を搬送する魚箱等であってもよい。前記ボックスは、平面視において長方形状（正方形でもよい）の底板部１Ａと、この底板部１Ａの外周を構成する４辺から上方に立ち上げられた縦向きで長方形状の４枚の側板部１Ｂ，１Ｃ，１Ｄ，１Ｅとからなる容器本体１と、この容器本体１の上端に形成される開口１Ｋを閉じるべく、容器本体１に嵌合により装着自在な蓋体２とから構成されている。前記蓋体２は、長方形状の天板部２Ａと、この天板部２Ａの外周を構成する４辺から下方へ垂下した縦向きで長方形状の４枚のスカート部２Ｂ，２Ｃ，２Ｄ，２Ｅとから構成されている。
【００１４】
発泡容器の原料には、発泡性合成樹脂粒子を３倍〜３０倍に予備発泡して得られた１ｍｍ〜５ｍｍ程度の予備発泡粒子が使用できる。
発泡性合成樹脂粒子は、合成樹脂に物理型発泡剤を含浸させてなり、加熱によって発泡するものであり、予備発泡させたものも含まれる。なお、本発明の実施の形態では、予備発泡させた、いわゆる予備発泡粒子を主に使用する。上記発泡性合成樹脂粒子を構成する合成樹脂としては、例えば、スチレン改質ポリエチレン系樹脂、ポリスチレン、ハイインパクトポリスチレン、スチレン−エチレン共重合体、スチレン−無水マレイン酸共重合体、スチレン−アクリロニトリル共重合体等のポリスチレン系樹脂、ポリメチルメタクリレート樹脂等のポリメタクリル系樹脂、ポリエチレン、ポリプロピレン、エチレン−酢酸ビニル共重合体等のポリオレフィン系樹脂、ポリエチレンテレフタレート等のポリエステル系樹脂等が挙げられる。これら合成樹脂の混合物やモノマーの共重合体なども使用できる。
また、物理型発泡剤としては、プロパン、ブタン、ペンタン、ヘキサン等の脂肪族炭化水素類、シクロペンタン、シクロブタン等の脂肪族環化水素類、二酸化炭素、窒素、空気等の無機ガス等が挙げられる。これらの物理型発泡剤は単体で用いても、２種類以上を併用してもよい。
【００１５】
図２に示すように、前記容器本体１の上端の外周縁には、内周の上端面よりも一段低くなった上端面を有する凹部１Ｈが形成され、この凹部１Ｈに嵌まり込む凸部２Ｔを前記蓋体２の下端の外周縁に形成され、凹部１Ｈに凸部２Ｔが上下方向で嵌合及び嵌合解除自在に構成されているが、凹部１Ｈと凸部２Ｔの形状は自由に変更できる。
【００１６】
前記容器本体１に装着された蓋体２の離脱を阻止するロック機構Ｒを発泡容器の長手方向両側にそれぞれ備えている。ここでは、発泡容器を構成する６面のうちの底面と天面を除いた４つの縦向きの側面のうちの対向位置する２つの側面にロック機構Ｒをそれぞれ備えさせているが、残りの２つの側面又は４つの側面全てにロック機構Ｒを備えさせてもよいし、対向位置する２つの側面のうちの一方の側面のみロック機構Ｒを備えさせる場合には、他方側は、容器本体１に備えさせた被係止部に水平方向で係止して上方への蓋体２の移動を阻止するための係止部を蓋体２に備えさせて実施することになる。
【００１７】
図１〜図５に示すように、前記各ロック機構Ｒは、前記蓋体２の上面のうちの短辺方向ほぼ中央部でかつ長辺方向端部の上面に固定される第１固定部材３と、この第１固定部材３に対応して前記容器本体１の上側部分から下端まで所定幅にて形成された凹部１Ｓの天面１Ｇに固定される第２固定部材４と、前記第２固定部材４にヒンジ５を介して揺動自在に連結され、前記第１固定部材３側への揺動により該第１固定部材３に備えた被係合部６に係合する係合解除自在な係合部１３を備えた可動部材１０とを備え、前記第１固定部材３及び第２固定部材４のそれぞれに、前記容器本体１又は前記蓋体２に下方又は上方から差し込んで該第１固定部材３及び第２固定部材４を固定するための一対の脚部７，７、８，８を備えている。前記ロック機構Ｒは金属で構成する他、合成樹脂あるいは木等で構成してもよい。又、前記ロック機構Ｒとして、例えば汎用のファイル用綴じ具を用いてもよい。
【００１８】
図４および図６にも示すように、前記第１固定部材３は、ステンレス製（ほぼ同等の強度を有するものであれば他の材料で構成してもよい）で長方形の板部材の２つの長辺のうちの１辺の長手方向中間部分に外側から内側に向かって台形状の切欠部を形成し、残りの長辺を除いた外周縁、つまり２つの短辺の外周縁と、台形部の外周縁、台形部と２つの短辺とを繋ぐ残りの外周縁を折り曲げて上方に立ち上げることによって、連続する５つの縦壁３Ａ，３Ｂ，３Ｃ，３Ｄ，３Ｅを形成している。そして、前記平面視において台形部の縦壁３Ｃが前記被係止部６を構成している。そして、前記第１固定部材３の長手方向両端部のそれぞれに、貫通孔を形成し、それら貫通孔に、前記一対の脚部である棒状部材７，７をそれぞれ一端から他端に備えさせた円板部７Ｂまで挿入し、その位置で固定するようにしている。
【００１９】
図６にも示すように、前記第２固定部材４は、ステンレス製（ほぼ同等の強度を有するものであれば他の材料で構成してもよい）で長方形の板部材の２つの長辺のうちの１辺を除いた３辺の外周縁を下方に折り曲げて強度アップを図るための補強片部４Ａが形成されている。そして、前記第２固定部材４の長手方向両端部のそれぞれに、貫通孔を形成し、それら貫通孔に、前記一対の脚部８，８である管部材をそれぞれ一端から他端に備えさせたフランジ部（図示せず）まで挿入し、その位置で固定するようにしている。前記管部材８，８は前記棒状部材７，７の挿入を許容する直径を有するように形成されている。又、前記補強片部４Ａの無い長辺部分に前記可動部材１０をヒンジ５を介して水平軸芯Ｘ２周りで揺動自在に連結している。
【００２０】
前記ヒンジ５は、前記第２固定部材４の短辺方向外方側端に所定間隔を置いて円筒状に折り曲げ形成された多数のピン支持部４ａと、後述する可動部材１０を構成する基部１０Ａの第１固定部材３側連結端に所定間隔を置いて円筒状に折り曲げ形成された多数のピン支持部１０ａと、それらピン支持部４ａ，１０ａに挿入される棒状のピン１６とからなり、第２固定部材４に対して可動部材１０をピン１６軸芯（水平軸芯）Ｘ２周りで揺動自在に構成している。図５に示す１７は、前記ロック機構Ｒをロック解除することにより、可動部材１０を図に示す開き姿勢に自ずと姿勢変更してその姿勢を維持することができるように備えさせたコイルバネであるが、無くてもよい。
【００２１】
前記可動部材１０は、それの係合部７が前記被係合部６に係合しているロック状態において前記容器本体１と蓋体２との嵌合部９を跨いで該容器本体１の蓋体側端部外面と該蓋体２の容器側端部外面とに渡る状態で位置する平板状の基部１０Ａと、この基部１０Ａの遊端（図では上端）に該基部１０Ａに対して９０度蓋体側に曲がり前記被係合部６に係合する係合部１３を備えた延出部１０Ｂとを備えている。図では、基部１０Ａの上端で９０度屈曲させて水平方向に直線状に延びる延出部１０Ｂを備えたＬ型部材から構成しているが、屈曲させる角度は９０度以外であってもよい。又、前記延出部１０Ｂが円弧状に湾曲した形状であってもよい。前記係合部１３は、それの一端が前記延出部１０Ｂの上面（外面）に回転自在に取付けられた回転軸１４に連結され、水平軸芯Ｘ１周りで揺動自在に構成されている。そして、図３に示すコイルバネ１５により延出部１０Ｂに接当する側に揺動付勢されている。前記係合部１３の他端には、前記縦壁３Ｃに水平方向で当接（係合）する係合片１３Ａが折り曲げ形成されている。
【００２２】
図１及び図２において前記蓋体２の長辺方向両端のそれぞれに、前記棒状部材７，７を挿入して該棒状部材７，７を備えた一方の固定部材３を固定するための貫通孔１１，１１（図２では一方のみ図示している）を該棒状部材７，７間と同一間隔を置いて上下方向に沿う状態で備えさせ、前記容器本体１の貫通孔１１，１１に上下方向で合致する位置に、前記管部材８，８を挿入して該管部材８，８を備えた他方の固定部材４を固定するための貫通孔１２，１２（図２では一方のみ図示している）を該管部材８，８間と同一間隔を置いて上下方向に沿う状態で備えさせている。そして、前記上側の貫通孔１１，１１に棒状部材７，７を上方から挿入し、他方の下側の貫通孔１２，１２に管部材８，８を下方から挿入することによって、前記容器本体１と蓋体２との嵌合部９を挟んで突き合わせた状態で、つまり先端部同士が対向位置するように前記棒状部材７，７及び管部材８，８の両方を前記第１固定部材３及び第２固定部材４からそれぞれ突出する状態で固定している。
【００２３】
図４及び図５に示すように、貫通孔１１，１１、１２，１２に挿入した棒状部材７，７及び管部材８，８が容器本体１及び蓋体２のそれぞれから外部へそれぞれ突出していることから、容器本体１に蓋体２を嵌合させることにより管部材８，８が棒状部材７，７と棒状部材７，７が挿入された貫通孔１１，１１との間に入り込むことができるように、貫通孔１１，１１の大きさを管部材８，８が入り込み可能な大きさに設定している。そして、図２に示すように、容器本体１に蓋体２を嵌合させてからロック機構Ｒをロック状態にすることにより、ロック機構Ｒを構成する部材がループ状（環状）になり、ロック機構Ｒ自体の強度アップを向上させることができ、他物との接当等によりロック機構Ｒが変形することを回避することができる。ここでは、棒状部材７，７及び管部材８，８の両方とも、容器本体１及び蓋体２のそれぞれから外部へそれぞれ突出するように構成したが、いずれか一方のみ突出するように構成してもよい。又、いずれも突出させない状態、つまり棒状部材７，７及び管部材８，８を容器本体１及び蓋体２のそれぞれに埋設した状態にして実施してもよい。この場合、ロック状態において管部材８，８に棒状部材７，７が挿入されることがないため、棒状部材７，７及び管部材８，８を他の部材から構成してもよい。
【００２４】
図６にも示すように、前記棒状部材７，７及び管部材８，８の固定部材側の基端部に、棒状部材７，７及び管部材８，８の外径寸法よりも大きな段部７Ａ、８Ａをそれぞれ備えてあり、図２に示すようにこれら段部７Ａ、８Ａを貫通孔１１，１２に入り込ませることによって、それら貫通孔１１，１２への食い込みが強くなり、貫通孔１１，１２から棒状部材７，７及び管部材８，８が外れ難くすることができる利点があるが、段部７Ａ、８Ａを省略して実施することもできる。
【００２５】
図１〜図４に示すように、前記蓋体２に固定される前記第１固定部材３及び前記容器本体１に固定される前記第２固定部材４を入り込ませる凹部１Ｓ，２Ｓを、該容器本体１及び蓋体２に備えさせており、容器本体１及び蓋体２から第１固定部材３及び第２固定部材４が外部に突出することがなく、搬送時に第１固定部材３及び第２固定部材４に他物が接当し難いようにしているが、第１固定部材３及び第２固定部材４の一部のみが入り込む凹部を形成してもよいし、凹部の全く無い状態で第１固定部材３及び第２固定部材４を固定してもよい。更に、前記ロック機構Ｒがロック状態において前記可動部材１０の縦向きの基部１０Ａを入り込ませる凹部を、容器本体１及び蓋体２の側面部、つまり側板部１Ｄ，１Ｅ及びスカート部２Ｄ，２Ｅに備えさせて実施することによって、ロック状態において発泡容器の外部にロック機構Ｒを構成する部材が全く突出することがなく、搬送時にロック機構Ｒを構成する部材に他物が接当することを可及的に回避することができる。
【００２６】
前記のように一対のロック機構Ｒ，Ｒを備えた発泡容器にてガラス基板等の収納物を入れて搬送する場合に蓋体２を容器本体１に対してロック（固定）し、搬送後においてロック（固定）を解除する場合について説明する。
まず、ガラス基板等の収納物が収納された容器本体１に蓋体２を嵌合により装着する。このとき、容器本体１から突出している管部材８，８、８，８に蓋体２から突出している棒状部材７，７、７，７の先端（下端）を挿入することによって、管部材８，８、８，８による棒状部材７，７、７，７の案内作用を発揮させ、蓋体２を下方に移動させるだけで、蓋体２が容器本体１にスムーズに嵌合する。この状態（図２に一点鎖線及び図５参照）から可動部材１０を持って水平軸芯Ｘ２周りで上方側へ起立揺動することにより、図２の２点鎖線で示す位置を通り更に揺動して図２の実線で示す垂直姿勢にすることによって、図３の破線で示すように、第１固定部材３に備えさせた被係合部６に可動部材１０の係合片１３Ａを係合させてロック機構Ｒをロック状態にすることができるようにしている。尚、前記ロック状態になる直前において係合片１３Ａが被係合部６に当接することによって、係合片１３Ａが水平軸芯Ｘ１周りで上方へ揺動され、可動部材１０が前記垂直姿勢になるに伴って前記当接状態が解消されることにより、図４に示す縦壁３Ｃと凹部２Ｓを構成する奥側の縦壁面２Ｈとの間に形成される空間Ｋ内に、前記係合片１３Ａがコイルバネ１５の付勢力にて入り込み、縦壁３Ｃに係合片１３Ａが水平方向で当接することにより可動部材１０が下方に揺動されることを阻止し、ロック状態になる。
【００２７】
前記のようにロック機構Ｒ，Ｒにて蓋体２と容器本体１とが固定された状態で発泡容器を搬送し、その後、内部の収納物を取り出す場合には、前記係合片１３Ａを持って水平軸芯Ｘ１周りで上方に揺動させることによって、被係合部６に係合している係合片１３Ａが係合解除されることで、前記コイルバネ１７の付勢力にて図２の１点鎖線又は図５に示す姿勢に可動部材１０が姿勢変更できるようになっている。この状態から蓋体２を容器本体１から外して容器本体１内の収納物を取り出せる状態にすることができる。前記係合片１３Ａを容易に揺動操作することができるように係合片１３Ａに操作レバーを備えさせて実施することもできる。
【００２８】
図１で示した発泡容器は、ガラス基板をそれの面方向が水平方向となる姿勢で収納する横置きタイプのものを示したが、図７に示すように、ガラス基板をそれの面方向が上下方向となる縦置きタイプの発泡容器であってもよい。この場合、蓋体２及び容器本体１の４つの側面のうちの対向位置する２つの側面のそれぞれに、第１固定部材３及び第２固定部材４を脚部７，７、８，８を介して差込み固定するための上下一対の固定用発泡体１８，１９を蓋体２と容器本体１とに振り分けて備えさせている。前記固定用発泡体１８又は１９は、蓋体２又は容器本体１に一体成形してもよいし、別体成形した固定用発泡体１８又は１９を蓋体２又は容器本体１に接着剤等を用いて固定してもよい。前記固定用発泡体１８の上面又は１９の下面には、第１固定部材３又は第２固定部材４が入り込む凹部１８Ｓ又は１９Ｓが形成されているが、無くてもよい。図７に示す２０は、ガラス基板を係止保持するための多数の縦溝２０Ｍを備えた係止保持部材である。図７で説明しなかった部分は、図１〜図６に示したものと同一である。
【００２９】
前記ロック機構Ｒを構成する第１固定部材３及び第２固定部材４を上下に対向位置するように蓋体２の上面と容器本体１の下面とにそれぞれ備えさせたが、蓋体２の側面とこれに対応する容器本体１の側面に第１固定部材３及び第２固定部材４をそれぞれ備えさせ、第１固定部材３及び第２固定部材４のうちの一方に備えさせている被係合部に係合する係合部を備える可動部材を他方に揺動自在に連結してもよい。この場合、前記可動部材はＬ型ではなく平板にて構成することができる。
【図面の簡単な説明】
【００３０】
【図１】ロック機構を備えた発泡容器の斜視図である。
【図２】ロック機構の要部を示す縦断側面図である。
【図３】ロック機構の平面図である。
【図４】ロック機構を構成する第１固定部材を示す斜視図である。
【図５】ロック機構を構成する第２固定部材を示す斜視図である。
【図６】ロック機構を構成する第１固定部材及び第２固定部材を示す斜視図である。
【図７】別の発泡容器にロック機構を備えた分解斜視図である。
【符号の説明】
【００３１】
１…容器本体、１Ａ…底板部、１Ｂ，１Ｃ，１Ｄ，１Ｅ…側板部、１Ｄ，１Ｅ…側板部、１Ｇ…天面、１Ｈ…凹部、１Ｋ…開口、１Ｓ…凹部、２…蓋体、２Ａ…天板部、２Ｂ，２Ｃ，２Ｄ，２Ｅ…スカート部、２Ｈ…縦壁面、２Ｓ…凹部、２Ｔ…凸部、３…第１固定部材、３Ａ，３Ｂ，３Ｃ，３Ｄ，３Ｅ…縦壁、４…第２固定部材、４Ａ…補強片部、４ａ…ピン支持部、５…ヒンジ、６…被係合部、７…棒状部材（脚部）、７Ａ…段部、７Ｂ…円板部、８…管部材（脚部）、８Ａ…段部、９…嵌合部、１０…可動部材、１０Ａ…基部、１０Ｂ…延出部、１０ａ…ピン支持部、１１，１２…貫通孔、１３…係合部、１３Ａ…係合片、１４…回転軸、１５…コイルバネ、１６…ピン、１７…コイルバネ、１８，１９…固定用発泡体、１８Ｓ，１９Ｓ…凹部、Ｒ…ロック機構、Ｘ１，Ｘ２…水平軸芯
【図１】
2008247443.tif 000003
【図２】
2008247443.tif 000004
【図３】
2008247443.tif 000005
【図４】
2008247443.tif 000006
【図５】
2008247443.tif 000007
【図６】
2008247443.tif 000008
【図７】
2008247443.tif 000009